(57)【要約】【課題】限られたサイズ、種類であっても、設置される場所に対応して、ユニット内空間を拡張し、及び／又はドア位置を変更できるユニットバス構造を提供する。【解決手段】洗い場部と浴槽載置部とを有する防水パンの外縁周りにドア枠及び複数の支柱を立設し、該支柱間に壁パネルを持設するユニットバス構造において、上記防水パンは、上記支柱を載置する支持面を有する支持具を備え、該支持面は、上記防水パン外縁よりも外側に延出し、前記支持具は着脱可能に構成され、前記支持面の前記防水パン外縁よりも外側に延出する方向の長さの異なる複数の支持具を交換することにより、前記支柱の上記防水パン外縁よりも外側に延出する方向の位置を変更可能とする。【選択図】  図７
2005282262.tif 000002
【特許請求の範囲】
【請求項１】
洗い場部と浴槽載置部とを有する防水パンの外縁周りにドア枠及び複数の支柱を立設し、該支柱間に壁パネルを持設するユニットバス構造において、上記防水パンは、上記支柱を載置する支持面を有する支持具を備え、該支持面は、上記防水パン外縁よりも外側に延出することを特徴とするユニットバス構造。
【請求項２】
前記支持具は着脱可能に構成され、前記支持面の前記防水パン外縁よりも外側に延出する方向の長さの異なる複数の支持具を交換することにより、前記支柱の上記防水パン外縁よりも外側に延出する方向の位置を変更可能としたことを特徴とする請求項１記載のユニットバス構造。
【請求項３】
前記防水パンの外縁上面は、防水パン床面よりドア下枠厚み分低い壁パネル載置面と、該壁パネル載置面の外側に位置し該壁パネル載置面より前記支持部の厚み分さらに低い支持具固定面と、さらに外側に位置し防水パン床面より高く起立した立上り部とを備え、防水パン床面に接するドア下枠上端がその接する防水パン床面と同じ高さにあることを特徴とする請求項１記載のユニットバス構造。
【請求項４】
洗い場部と浴槽載置部とを有する防水パンの外縁周りにドア枠及び複数の支柱を立設し、該支柱間に壁パネルを持設するユニットバス構造において、前記防水パンの高さを調整する支持ボルトは、上記防水パンの外縁外側に螺着されて、外縁に対し上下方向へ螺進可能に螺着されたことを特徴とする請求項１記載のユニットバス構造。
【発明の詳細な説明】
【技術分野】
【０００１】
本発明は、防水パンを備えるユニットバスの構造に係り、特に壁パネル及び出入口ドアが立設される防水パンの外縁のユニットバス構造に関する。
【背景技術】
【０００２】
従来、防水パンの外縁上に壁パネル及び出入口ドアを立設するユニットバス構造の標準的なものとして、図１３に示すものがある。このユニットバス構造において壁パネル４を取り付けるために、図１３（ａ）に示すように、防水パン２の外縁に立ち上がり１０１が突設され、この立ち上がり１０１に壁パネル４の支柱８０がねじ８３，８３を用いてビス止めされ、壁パネル４は立設された複数の支柱８０，８０間に架設されるようになっている。
【０００３】
これに対し、このユニットバス構造において出入口ドアは、図１３（ｂ）に示すように、出入口ドア５が取り付けられる位置の立ち上がり１０１が一部切除された上に取り付けられるが、この場合、立ち上がり１０１の切断は、ユニットバス構造が設置される現場で行われ、工数が増えるという問題がある。
【０００４】
この問題を解決すべく、床パンの端縁に、この端縁を起点として上方と下方に跨がってフランジ部が鉛直方向に形成され、このフランジ部の外側に固定金具が上半部をフランジ部の上端より突出して取り付けられ、固定金具の上記上半部に壁パネルの支柱の下端部が固着されていることを特徴とする床パンと壁パネルの組立構造や、床パンの端縁に上面を開口とする凹部が下半部を下方に突出して形成され、上記凹部の外側の側壁の内側に壁パネルの支柱の下端部が固着されていることを特徴とする床パンと壁パネルの組立構造が提案されている（例えば、特許文献１参照。）。
【０００５】
これらの組立構造によれば、立ち上がり１０１を切断することなく、ドア５を設置することはできる。しかしながら、下枠５１が防水パン２上に載置されるので、前者の組立構造にあっては図１３（ｂ）、後者の組立構造にあっては図１３（ｃ）に示すように、いずれも下枠５１の側面が露出して、段差ｈ３が生じ、躓きかねない。また、ユニットバス１の床面と脱衣室Ｄの床面とには、依然として段差ｈ２が残り、バリアフリー対応としては十分ではない。
【特許文献１】特開平１０−１４０６３４号公報（図１、図２）
【発明の開示】
【発明が解決しようとする課題】
【０００６】
本発明は、上述した事情を考慮してなされたもので、防水パンの立ち上がりをドアの取り付くところで切除することなく、かつ出入口段差を解消するユニットバス構造を提供することを目的とする。
【課題を解決するための手段】
【０００７】
本発明に係るユニットバス構造は、上述した課題を解決するために、請求項１に記載したように、洗い場部と浴槽載置部とを有する防水パンの外縁周りにドア及び複数の支柱を立設し、該支柱間に壁パネルを持設するユニットバス構造において、上記防水パンは、上記支柱を載置する支持面を有する支持具を備え、該支持面は、上記防水パン外縁よりも外側に延出するものである。
【０００８】
そして、好適には、請求項２に記載したように、前記支持具は着脱可能に構成され、前記支持面の前記防水パン外縁よりも外側に延出する方向の長さの異なる複数の支持具を交換することにより、前記支柱の上記防水パン外縁よりも外側に延出する方向の位置を変更可能としたものであり、また、請求項３に記載したように、前記防水パンの外縁上面は、防水パン床面よりドア下枠厚み分低い壁パネル載置面と、該壁パネル載置面の外側に位置し該壁パネル載置面より前記支持部の厚み分さらに低い支持具固定面と、さらに外側に位置し防水パン床面より高く起立した立上り部とを備え、防水パン床面に接するドア下枠上端がその接する防水パン床面と同じ高さにあるように構成したものである。
【０００９】
一方、上述した課題を解決するために、請求項４に係るユニットバス構造は、洗い場部と浴槽載置部とを有する防水パンの外縁周りにドア枠及び複数の支柱を立設し、該支柱間に壁パネルを持設するユニットバス構造において、前記防水パンの高さを調整する支持ボルトは、上記防水パンの外縁外側に螺着されて、外縁に対し上下方向へ螺進可能に螺着されたものである。
【発明の効果】
【００１０】
本発明に係るユニットバス構造によれば、防水パンの立ち上がりをドアの取り付くところで切除することなく、かつ出入口段差を解消するユニットバス構造を提供することができる。
【００１１】
また、本発明は、立ち上がりに別体の支持具を設け取り付けることとして、上記切除の問題を解消しつつ、支持具を防水パンの外側に延出することにより、ユニットバス内法を拡大することができる効果が得られる。
【００１２】
更に、本発明は、従来切除していた部分を別体にすることにより、防水パンと建築壁との隙間が拡大するので、防水パンの高さ調整が容易になるという効果がある。
【発明を実施するための最良の形態】
【００１３】
本発明に係るユニットバス構造の実施の形態について、図を参照して説明する。図１は、本発明に係るユニットバス構造を備えるユニットバス１の全体概要を示すものである。
【００１４】
ユニットバス１は、図１に示すように、脱衣室Ｄに隣接して設置されて浴室を形成するものであり、防水パン２と、浴槽３と、壁パネル４と、ドア５と、排水ピット部６とから構成されている。
【００１５】
また、壁パネル４上には、図２に示すように、天井パネル６０が天井接続ピース６１を介して取り付けられる。天井接続ピース６１は、硬質合成樹脂等を、軽量化のために中空に押出成形して形成され、天井パネル６０の重量を支持しても撓まないように、天井裏に位置する面はリブで補強されている。
【００１６】
天井接続ピース６１の、天井パネル６０を接続する天井接続部６１ａは凹に形成され、ここに天井パネル６０の端部が嵌入された後、抜け防止のためビス６３を用いてビス止めされる。天井接続ピース６１の、壁パネル４を接続する壁接続部６１ｂも同様に凹に形成され、天井接続ピース６１に天井パネル６０が接続された後、壁接続部６１ｂが壁パネル４上部に外嵌される。そして、ビス６４を用いてビス止め固定される。
【００１７】
この天井パネル６０と壁パネル４との接続部には、その全周に亘って回り縁６２が取り付けられ目隠しされる。この取付は、回り縁６２の嵌合凸部６２ａを、天井接続ピース６１の嵌合凹部６１ｃに嵌挿して行われる。そして、硬質合成樹脂等を押出成形して形成された回り縁６２の壁側及び天井側の両端に接着された軟質合成樹脂製等のヒレ部６３ａが、壁パネル４及び天井パネル６０に凹圧され屈曲して、回り縁６２と壁パネル４及び天井パネル６０との間の隙間は封止される。
【００１８】
上述のように、天井接続ピース６１を用いることにより、天井パネル６０の大きさは、ユニットバス１の全幅より２Ｗ小さくすることができる。したがって、例えば、標準的な１４００ｍｍ×１８００ｍｍ程度の大きさのユニットバスに、製造及び運搬上の理由から１枚の天井パネルとしては最大限の１３００ｍｍ×１７００ｍｍ程度の天井パネル１枚を採用でき、天井パネルを２枚採用する場合に比べて大幅にコストを低減することができる。
【００１９】
ドア５は、ユニットバス１の出入口部を形成するものであり、防水パン２の脱衣室Ｄに面する側に設置される。このドア５は、壁パネル４に開口を形成する２本の縦枠５０，５０及び図示しない上枠と、脱衣室Ｄの床と防水パン２とを接続する下枠５１と、ユニットバス１側に開閉できる片開き式のドア本体５２とから構成される。
【００２０】
防水パン２は、樹脂材によって一体的に形成されており、図１に示すように、ドア５側に人が体を洗える洗い場部２０が形成され、他方側に浴槽３が設置される浴槽載置部２１が形成されていて、これらが上方への立ち上がりである土手部２２により仕切られている。
【００２１】
洗い場部２０は、外周上縁が同一高さに形成され、排水の流れる床面が、浴槽３の長手方向中間部に設けられた排水ピット部６に向かって、すり鉢状に下るように傾斜された流水面Ｓ１となっている。
【００２２】
浴槽載置部２１は、洗い場部２０より一段低く形成され、排水の流れる床面が、排水ピット部６に向かってすり鉢状に下るように傾斜された流水面Ｓ２となっている。
【００２３】
そして、土手部２２の浴槽載置部２１側には、裏土手部２３が土手部２２に平行して立設され、土手部２２と裏土手部２３との間に、洗い場部２０から水が溢れ出てきたときにこれを集めて排水する排水溝２４を形成している。
【００２４】
浴槽３は、図３に示すように、下部側の脚（図示せず）を介して、防水パン２の浴槽載置部２１上に設置される。この浴槽３は、凹状の浴槽本体３０と、浴槽３の側方を覆うエプロン１０とを備える。また、浴槽３や洗い場部２０には、図示しない給水・給湯設備等も取り付けられる。
【００２５】
浴槽本体３０の洗い場部２０側には、防水パン２の土手部２２上方に、浴槽３の側方を覆うエプロン１０が取り付けられている。エプロン１０は、略長方形状を呈し、四周は、補強のために折り曲げられ、リブ１０ａが成形される。
【００２６】
エプロン１０の上端は、浴槽本体３０の上端のリム面３０ａ下に取り外し可能に固定され、下端はそこから土手部２２へと垂下し、図４に示すように、エプロン下端のリブ１０ａが土手部２２の頂面の浴槽載置部２１側に突出する立ち上がり２２ａに当接固定される。また、土手部２２の上端面には、立ち上がり２２ａの外、その長手方向に沿って、凹部２２ｃが形成されている。
【００２７】
土手部２２とエプロン１０との間には、土手部２２の全長に亘って、エプロン下目地材１１が挟装される。このエプロン下目地材１１は、ポリプロピレン、塩化ビニール、ＡＢＳ、又はエラストマー等の熱可塑性樹脂からなり、押出し成形方法によって成形される。エプロン下目地材１１の下面には、土手部２２の凹部２２ｃに嵌合する突起１１ａが形成され、エプロン１０の表面側上下及び裏面側上部には、ヒレ状の突起１１ｂが夫々全長に亘って形成される。
【００２８】
エプロン下目地材１１の突起１１ａが、土手部２２の凹部２２ｃに嵌合するように敷設された上にエプロン１０が載置されると、エプロン１０の裏面側上部の突起１１ｂは押圧されて変形するも、その復元力により、エプロン１０の下側リブ面１０ａに密着して、エプロン１０と土手部２２との間に隙間が生じないよう封止する。また、エプロン１０の表面側上下の突起１１ｃ，１１ｃは、エプロン下目地材１１がエプロン１０の下側リブ面１０ａと土手部２２との間に押し込まれることにより外側へと変形するも、その復元力により、夫々エプロン１０及び土手部２２の表面に密着して、エプロン１０と土手部２２との間に隙間が生じないよう封止する。さらに、土手部２２の裏面側に立ち上がり２２ａが形成されているので、万が一エプロン下目地材１１が切れて洗い場部２０側の水が浸入しても、浴槽載置部２１側へ流入することが防止される。
【００２９】
エプロン１０の側面と壁パネル４との間には、図５に示すように、エプロン横目地材１２が挟装される。エプロン横目地材１２は、エプロン下目地材１１と同様に、ポリプロピレン、塩化ビニール、ＡＢＳ、又はエラストマー等の熱可塑性樹脂からなり、押出し成形方法によって成形される。エプロン横目地材１２の横断面は、壁パネル４に当接する主部１２ａと、主部１２ａから１８０度折り曲げられ、主部１２ａの略半分の長さを有する脚部１２ｂと、脚部１２ｂとは反対側に、脚部１２ｂと同方向を向いたヒレ状の突起１２ｃとからなる略Ｊ字状に形成される。
【００３０】
エプロン横目地材１２は、エプロン１０を浴槽本体３０に取り付ける前に、主部１２ａと脚部１２ｂとでエプロン１０の横側のリブ１０ａを挟持するように装着される。このとき、エプロン前面側にくる突起１２ｃは、エプロン１０の前面に押されて外側へと変形するも、その復元力により、エプロン１０の表面に密着して、エプロン１０との間に隙間が生じないよう封止する。
【００３１】
そして、エプロン１０が浴槽本体３０に取り付けられると、エプロン横目地材１２の主部１２ａは押圧されて、エプロン１０と壁パネル４との間の隙間がなくなり、漏水を防止する。
【００３２】
浴槽本体３０のエプロン１０側を除く三方のリム３０ａと壁パネル４或いはカウンタ（あれば）との間には、図６に示すように、浴槽上目地材１３が挟装される。浴槽上目地材１３も上述のエプロン横目地材１２等と同様に、ポリプロピレン、塩化ビニール、ＡＢＳ、又はエラストマー等の熱可塑性樹脂からなり、押出し成形方法によって成形される。浴槽上目地材１３の横断面は、大別して、浴槽側面に露出する上面部１３ａと、上面部より下方に伸びて浴槽本体３０のリム３０ａと壁パネル４との間に差し込まれる差込部１３ｂとからなる。上面部１３ａは浴槽本体３０側へ下向きに傾斜した形状となっている。差込部１３ｂはさらに、側面から突出するヒレ部１３ｃと、下端から浴槽本体３０側へと屈曲し、浴槽本体３０のリム３０ａ先端に係止する係合部１３ｄを有する。
【００３３】
浴槽本体３０上部と壁パネル４との隙間より浴槽上目地材１３を挿入すると、係合部１３ｄが、浴槽本体３０のリム３０ａ下端に係合し、浴槽本体３０に固定される。そのため、一旦係合されると、浴槽上目地材１３が容易に抜け落ちることはない。
【００３４】
上面部１３ａは、浴槽本体３０と、壁パネル４に接することで止水を行う。上面部１３ａの下端から係合部１３ｄまでの距離を、浴槽リム３０ａの高さよりもわずかに小さくすることにより、浴槽上目地材１３を隙間に差し込む際は、上面部１３ａの下端から係合部１３ｄまでの距離が浴槽リム３０ａの高さに合うように、上面部１３ａ及び差込部１３ｂが変形することで、浴槽リム３０ａの下端に係合し、上面部１３ａ及び差込部１３ｂ変形の復元力により上面部１３ａは浴槽本体３０に押圧され、良好な止水性を得ることができる。またヒレ部１３ｃが浴槽リム３０ａに当接することで、ここにおいても止水性を得ることができる。
【００３５】
このように構成されるユニットバス１の防水パン２を建築床Ｆ上に設置し、この防水パン上に壁パネル４を立設するユニットバス構造を、図７を参照して説明する。防水パン２は、図３に示すように、その外縁四周に亘り、床面レベルから垂下するフランジ７０を有する。
【００３６】
フランジ７０の頂面は、図７に示すように、その高さが３段に分けられる。防水パン２の床面に隣接し、床面より一段下がった凹溝を形成する壁パネル載置面７１と、この壁パネル載置面７１に隣接し、壁パネル載置面７１よりさらに一段下がった凹溝を形成する支持具固定面７２と、この支持具固定部７２に隣接するとともに防水パン２の最外縁を形成し、床面より高く起立する立上り部７３である。
【００３７】
支持具固定面７２の所定の位置には、防水パン２を建築床Ｆに設置し高さを調整する支持ボルト７５を取り付けるために、横断面が六角形のレベル調整孔７４が貫通穿設される。このレベル調整孔７４の下端には、図７（ｂ）に示すように、レベル調整ナット７６が固着され、支持ボルト７５がこの、レベル調整ナット７６に内嵌螺合される。支持ボルトの頂部（ボルト頭７５ａと反対側の端部）には、マイナスドライバを差し込めるように、一文字の溝７５ｂが設けられる。これは、プラスドライバを差し込めるように、十文字の溝であってもよい。また、レベル調整ナット７６の下部には、がたつき防止ナット７７が支持ボルト７５に外嵌螺合される。なお、レベル調整孔７４は、レベル調整ナット７６を固着する部分の横断面が六角形であれば、上部は円筒状であってもよい。
【００３８】
この支持ボルト７５による防水パンのレベル調整は、以下のように行われる。まず、がたつき防止ナット７７が外嵌螺合された支持ボルト７５は、予めレベル調整孔７４に固着されたレベル調整ナット７６に内嵌螺合される。このとき、がたつき防止ナット７７は、支持ボルト７５のボルト頭７５ａ付近に外嵌螺合させ、ボルト頭７５ａ下端からレベル調整ナット７６までの長さは、防水パン２の所定の高さに必要な長さより幾分短めに取り付けておく。
【００３９】
防水パン２が所定に位置に置かれると、レベル調整孔７４よりマイナスドライバを挿通して、支持ボルト７５の溝７５ｂに嵌合させ、支持ボルト７５に回転力を与えることにより防水パン２を所定の高さに至るまで下方に螺進させる。
【００４０】
こうして高さが確定すると、防水パン２の外縁と建築壁Ｗとの隙間から治具を差し込んで、がたつき防止ナット７７を上方へ螺進させ、レベル調整ナット７６に堅く当接させて、ねじのがたつきや緩みを防止する。これにより、防水パン２の床面に孔を空けることなく防水パン２のレベル調整を容易に行うことができる。
【００４１】
なお、レベル調整孔７５の、レベル調整ナット７６が固着された部分より上部の径を大きくし、がたつき防止ナット７７をレベル調整ナット７６より上部において支持ボルト７５に外嵌螺合させることもできる。この場合、がたつき防止は、レベル調整孔７４に治具を挿通してがたつき防止ナット７７を下方へ螺進させることより行うことができる。
【００４２】
支持具固定面７２には、図７（ｃ）に示すように、支柱支持具８１が、ねじ８２によりねじ止めされる。この支柱支持具８１は、金属板が折り曲げ加工されたものであり、支持具固定面７２に当接する部分８１ａと、立上り部７３に当接する部分８１ｂと、立上り部７３から建築壁Ｗ方向に延出する部分８１ｃと、支柱８０背面に起立する部分８１ｄとからなるものである。壁パネル４を持設する支柱８０は、支柱支持具８１の、支柱８０背面に起立する部分８１ｄに、ねじ８３によりねじ止めされ立設される。
【００４３】
このように、支柱支持具８１が防水パン２外縁より外側へ延出しているので、支柱８０の背面から建築壁Ｗまでの距離Ｌ１が従来のタイプのユニットバスと同じであっても、支柱支持具８１が存在しない部分では、建築壁Ｗと防水パン２外縁との距離Ｌ２が比較的大きいため、支持ボルト７５のレベル調整のための治具を挿通し易いというメリットがある。
【００４４】
支柱８０は、鋼板等をチャンネル状断面に折曲げ、両端部を各々更に内側に深く折曲げて折曲部を形成し、折曲部の傾斜面を傾斜部８０ａ，８０ａとし、向い合う傾斜部８０ａ，８０ａ間を比較的大きな開口としたものである。壁パネル４は、互いに隣接する支柱８０，８０間（この図では一方の支柱８０のみを示す）に取付けられる。
【００４５】
壁パネル４は、化粧金属板（塩化ビニル樹脂被膜鋼板など）等の表面材４０と、表面材４０を裏打ちする石膏ボード等の裏打ち材４１とからなる。表面材４０の左右両端は、背面方向（室外側）へ略Ｊ字形に折り曲げられ、弾性に富む弾性係止部４０ａとされている。そして、表面材４０の上下両端は、背面方向（室外側）へ略Ｌ字形に折り曲げられ、載置片４０ｂとされている。
【００４６】
傾斜部８０ａ，８０ａ間にはパネルジョイナ４５が取付けられている。パネルジョイナ４５は、変形性と剛性とを兼ね備えた中硬質材であり、且つ、略Ω（オメガ）字状断面の長尺材である。弾性係止部４０ａは、支柱８０の傾斜部８０ａにパネルジョイナ４５を介して弾性係合されている。このため、弾性係止部４０ａ，４０ａは支柱８０，８０に室内側から着脱可能である。
【００４７】
壁パネル４の載置片４０ｂは、壁パネル載置面７１に敷設されたパッキン４６上に載置され、防水パン２の床面から壁パネル載置面７１へと垂下する側面と、表面材４０との隙間には、床目地材４７が密着挿入されるので、浴室内の水がこの隙間から外部へ漏れることが防止される。この場合、挿入された床目地材４７のヒレ部４７ａが、壁パネル４の載置片４０ｂの角部に掛止されるので、床目地材４７は浮き上がらない。
【００４８】
また、支持具固定面７２は、壁パネル載置面７１から、支柱支持具８７の厚みとねじ８２の頭高さとを足した長さよりも低い位置に設けられるので、ねじ８２のねじ頭の存在が、載置片４０ｂのパッキン４６への載置の障害となることはない。
【００４９】
図８は、支柱支持具８１の配置される位置を説明する図である。支柱支持具には２つの種類があり、一つは、防水パンのコーナーに取り付けられコーナー支柱支持具８４であり、もう一つは、防水パン２の各辺中間部に取り付けられる支柱支持具８１である。
【００５０】
防水パン２の四隅には、コーナー支柱支持具８４が取り付けられ、直交する壁の端部壁パネル４，４を持設する。このコーナー支柱支持具８４は、大凡、直交する方向に配置された支柱支持具８１を接続部８４ａで接続した形状に加工される。
【００５１】
一方、防水パン２の支持具固定面７２には、図９に示すような逆三角錐状の窪み７２ａが設けられる。この窪み７２ａは、防水パン２の大きさと採用される壁パネル４の幅から予め定められた位置に設けられる。窪み７２ａは、支柱支持具８１及びコーナー支柱支持具８５の取付位置を案内するガイドの役割を果たすものである。そして、コーナー支柱支持具８４は、窪み７２ａ上にねじ孔８５がくるように保持されて、ねじ８２によりねじ止めされる。
【００５２】
通常の支柱支持具８１は、防水パン２の各辺中間部に取り付けられる。支柱支持具８１も、支持具固定面７２の所定の位置に穿設された逆円錐状の窪み７２ａ上にねじ孔８５がくるように保持されて、ねじ８２によりねじ止めされる。
【００５３】
壁パネル４が前後にシフトすると、各辺の長さが変動する。この場合、辺方向中央部の壁パネルは一定の幅のものを使用し、コーナーに接する壁パネルの幅を調整することにより、各辺の長さも調整される。或いは、壁パネル４下端とフランジ７０との取り合いのように、壁パネル４の幅を最小の場合に合わせて作成して変えることなく、各辺の長さが広くなった場合は、その幅に見合った縦目地材を挟装するようにしてもよい。
【００５４】
図１０は、ドア下枠５１と本実施形態に係る防水パン２との取り合いを示す断面図である。この図において、ドア下枠５１は、フランジ７０の壁パネル載置面７１に、パッキン４６を介して載置される。
【００５５】
本実施形態に係る立上り部７３は、図１３（ａ）に示す従来の例と異なり、直接支柱８０を固設するものではないので、その高さも大きくなく、したがって、図１３（ｂ）に示すように、下枠５１の下に位置する立上り部７３を切断する必要がなく、容易にドア４の位置を変更することが可能となる。
【００５６】
また、立上り部７３の側面と、支持具固定面７２と、支持具固定面７２の壁パネル載置面７１側側面とで形成される空間は溝状となるので、下枠５１の両端でこの溝を仕切れば、万一パッキン４６及び床目地材４７による止水が破れても、漏水はこの溝に貯留されて、外部への漏出を低減させることができる。
【００５７】
さらに、防水パン２の床面から壁パネル載置面７１へと垂下する側面の高さを、当該部分に当接する下枠５１の部分の高さと同一にすれば、室内部においては、図に示すように、下枠５１の上面と、それが接する防水パン２の床面のレベルが等しくなるので、段差がなくなって躓くこともない。また、脱衣室Ｄと浴室とのレベル差ｈ１も、図１３に示す従来の例におけるｈ２と比較して小さくなり、身障者や高齢者にもより使い易いものとなる。
【００５８】
次に、ユニットバス１のサイズを調整すべく、壁パネル４の位置を前後にシフトする場合について説明する。この例のユニットバス構造は、図１１に示すように、支柱８０を支持する支柱支持具８１の立上り部７３から建築壁Ｗ方向に延出する部分８１ｃが上述した例のものより長い点で、上述した実施形態におけるものと基本的に相違し、他の構成は実質的に同じであり、同じ符号を付して説明を省略する。
【００５９】
このように支柱支持具８１の、立上り部７３から建築壁Ｗ方向に延出する部分８１ｃの長さを変えることにより、支柱８０の位置が防水パン２のフランジ７０の位置に対して前後することになり、ひいては、壁パネル４の位置を前後させることが可能になる。したがって、防水パン２外縁から建築壁Ｗまでの距離に応じて支柱支持具８１を使い分けるだけで、同一の防水パン２であっても、ユニットバス空間の大きさを変えることができ、少しでも広い浴室空間を得ることができるとともに、壁パネル４裏の空間を小さくして有効利用することが可能となる。
【００６０】
このとき、防水パン２の床面から壁パネル載置面７１へと垂下する側面と、表面材４０との隙間に挟装される床目地材４７Ａは、図１１に示すように、図７の場合と比較して幅が大きなものが採用される。或いは、上述の場合と同じ床目地材４７と床材と同質の介挿材を挟装してもよい。これにより、単に対向する壁パネル４，４間の距離が大きくなるばかりでなく、床として使用できる面積を増加させることが可能となる。
【００６１】
また、壁パネル４が建築壁Ｗ側にシフトしたことにより、壁パネル４下端の載置片４０ｂは、支持具固定面７２上に載置される場合もある。この場合、載置片４０ｂの下に敷設されるパッキン４６Ａも、支持具固定面７２上に敷設されることになる。しかし、載置片４０ｂの高さそのものに変化はないので、壁パネル載置面７１に敷設された上述の場合に比べて、背の高いパッキン４６Ａを使用して、壁パネル４の高さを調整する。この場合も、挿入された床目地材４７Ａのヒレ部４７ａが、壁パネル４の載置片４０ｂの角部に掛止されるので、床目地材４７Ａは浮き上がらない。これにより、防水パン２外縁周りから壁パネル４裏への漏水が防止される。
【００６２】
続いて、本実施形態の変形例について、図１２を参照して説明する。上述した実施形態における防水パン２の高さを調整する支持ボルト７５Ａは、防水パン２のフランジ７０下部に取り付けられるのに対し、本変形例のユニットバス構造における支持ボルト７５Ａは、図１２に示すように、防水パン２のフランジ７０外側に取り付けられる点で基本的に相違し、他の構成は上述した実施形態と実質的に同じであり、同じ符号を付して説明を省略する。
【００６３】
本変形例において支持ボルト７５Ａは、ボルト頭７５ａと反対側の端部にマイナスドライバが差し込まれる一文字の溝７５ｂを備え、ボルト頭７５ａを下（建築床Ｆ）側に倒立させて、支持ボルト固定具７８に固着されたレベル調整ナット７６に内嵌螺合される。また、レベル調整ナット７６の上には、がたつき防止ナット７７が、支持ボルト７５Ａに外嵌螺合される。
【００６４】
支持ボルト固定具７８は、フランジ７０の底面及び建築壁Ｗ側の側面に密着するように折り曲げ加工された金属板であり、ねじ７９により、フランジ７０にねじ止めされる。これにより、防水パン２を含むユニットバス１の荷重は、フランジ７０から支持ボルト固定具７８、レベル調整ナット７６、支持ボルト７５Ａを経由して、建築床Ｆへと伝えられる。
【００６５】
この支持ボルト７５Ａによる防水パンのレベル調整は、以下のように行われる。まず、支持ボルト７５Ａは、予めフランジ７０にねじ止めされた支持ボルト固定具７８に固着されたレベル調整ナット７６に内嵌螺合される。
【００６６】
このとき、ボルト頭７５ａ下端からレベル調整ナット７６までの長さは、防水パン２の所定の高さに必要な長さより幾分短めに取り付けておき、がたつき防止ナット７７は、支持ボルト７５Ａの溝７５ｂ付近に外嵌螺合させておく。
【００６７】
防水パン２が所定の位置に置かれると、マイナスドライバを溝７５ｂに嵌合させ、支持ボルト７５Ａに回転力を与えることにより防水パン２を所定の高さに至るまで下方に螺進させる。こうして高さが確定すると、がたつき防止ナット７７を下方へ螺進させ、レベル調整ナット７６に堅く当接させて、ねじのがたつきや緩みを防止する。
【００６８】
図１２（ａ）に示すように、支持ボルト７５Ａが防水パン２外縁より外側に位置していても、支柱支持具８１の、支柱８０背面に起立する部分８１ｄよりも建築壁Ｗから遠い位置にあるので、この支持ボルト７５Ａの存在により壁パネル４と建築壁Ｗとの距離を大きくすることはない。それでいて、防水パン２のレベル調整が、レベル調整孔等を介することなく、直接行え、また、状況を上から目視できるので、孔を空けることなく、防水パン２のレベル調整を容易に行うことが可能となる。したがって、がたつき防止ナット７７の取付は、レベル調整終了後でも行うことができる。
【００６９】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【図面の簡単な説明】
【００７０】
【図１】本発明に係るユニットバス構造を備えるユニットバスの全体概要を示す斜視図。
【図２】本実施形態に係るユニットバスの壁パネルと天井パネルとの取合部を説明する図。
【図３】図１に示されたユニットバスの防水パン浴槽及びエプロン周りの分解斜視図。
【図４】防水パン土手部とエプロン間の止水を説明する図。
【図５】ユニットバスの壁パネルとエプロン間の止水を説明する図。
【図６】壁パネルと浴槽間の止水を説明する図。
【図７】本発明の実施形態に係るユニットバス構造を示す図であり、（ａ）は支柱周りの平面図、（ｂ）はＡ−Ａ矢視図、（ｃ）はＢ−Ｂ矢視図。
【図８】支柱の支持具を説明する図であり、（ａ）はＥ−Ｅ矢視図、（ｂ）はＦ−Ｆ矢視図、（ｃ）はＧ−Ｇ矢視図。
【図９】図８のＨ−Ｈ矢視図。
【図１０】本実施形態に係るユニットバス構造におけるドア枠取付部を説明する図。
【図１１】本実施形態に係るユニットバス構造において壁パネル位置を前後にシフトした例を示す図であり、（ａ）は支柱周りの平面図、（ｂ）はＣ−Ｃ矢視図、（ｃ）はＤ−Ｄ矢視図。
【図１２】本実施形態の変形例を示す図であり、（ａ）は支持ボルト周りの平面図、（ｂ）はＪ−Ｊ矢視図。
【図１３】従来のユニットバス構造を説明する図であり、（ａ）は壁パネル取付部、（ｂ）はドア枠取付部、（ｃ）は他のドア枠取付部を夫々示す図。
【符号の説明】
【００７１】
１  ユニットバス
２  防水パン
３  浴槽
４  壁パネル
５，５Ａ  ドア
６  排水ピット部
１０  エプロン
１０ａ  リブ
１１  エプロン下目地材
１１ａ，１１ｂ  突起
１２  エプロン横目地材
１２ａ  主部
１２ｂ  脚部
１２ｃ  突起
１３  浴槽上目地材
１３ａ  上面部
１３ｂ  差込部
１３ｃ  ヒレ部
１３ｄ  係合部
２０  洗い場部
２１  浴槽載置部
２２  土手部
２２ａ  立ち上がり
２２ｃ  凹部
２３  裏土手部
２４  排水溝
３０  浴槽本体
３０ａ  リム面
４０  表面材
４０ａ  弾性係止部
４０ｂ  載置片
４１  裏打ち材
４５  パネルジョイナ
４６，４６Ａ  パッキン
４７，４７Ａ  床目地材
５０  縦枠
５１  下枠
５２  ドア本体
６０  天井パネル
６１  天井接続ピース
６１ａ  天井接続部
６１ｂ  壁接続部
６１ｃ  嵌合凹部
６２  回り縁
６２ａ  嵌合凸部
６３，６４  ビス
７０  フランジ
７１  壁パネル載置面
７２  支持具固定面
７２ａ  窪み
７３  立上り部
７４  レベル調整孔
７５、７５Ａ  支持ボルト
７５ａ  ボルト頭
７５ｂ  溝
７６  レベル調整ナット
７７  がたつき防止ナット
７８  支持ボルト固定具
７９，８２，８３  ねじ
８０  支柱
８０ａ  傾斜部
８１  支柱支持具
８４  コーナー支柱支持具
８４ａ  接続部
８５  ねじ孔
Ｄ  脱衣室
Ｆ  建築床
Ｗ  建築壁
【図１】
2005282262.tif 000003
【図２】
2005282262.tif 000004
【図３】
2005282262.tif 000005
【図４】
2005282262.tif 000006
【図５】
2005282262.tif 000007
【図６】
2005282262.tif 000008
【図７】
2005282262.tif 000009
【図８】
2005282262.tif 000010
【図９】
2005282262.tif 000011
【図１０】
2005282262.tif 000012
【図１１】
2005282262.tif 000013
【図１２】
2005282262.tif 000014
【図１３】
2005282262.tif 000015